(57)【要約】【課題】ユーザに医療機器の取扱方法の教育を受ける動機付けを与え、該教育の受講率をアップさせることで、ユーザに医療機器を最適に使用させる。【解決手段】病院等の医療機関１００は、複数の製品（医療機器）１０４の他に、例えばインターネット１０１に接続されたパーソナルコンピュータ（以下、ＰＣ）１０２を有しており、ＰＣ１０２は各製品（医療機器）１０４の使用を許可するパスワードをユーザの製品（医療機器）１０４の取扱方法のｅ教育の理解度に基づいて発行するサービスセンター１０３と接続され、ＰＣ１０２及びサービスセンター１０３とより医療機器取扱教育システムを構築している。【選択図】  図２
2004157177.tif 000002
【特許請求の範囲】
【請求項１】
購入した医療機器の取扱方法を教育する教育ソフトを起動する教育ソフト起動手段と、
前記教育ソフト起動手段により起動した前記教育ソフトを教育内容の理解度をチェックする理解度チェック手段と、
前記理解度チェック手段がチェックした理解度を判定する理解度判定手段と、
前記理解度判定手段の判定結果に基づき前記医療機器の使用環境を制御するパスワードを発行するパスワード発行手段と、
前記パスワードを前記医療機器に入力するパスワード入力手段と
を備えたことを特徴とする医療機器取扱教育システム。
【請求項２】
前記パスワードが制御する前記医療機器の使用環境は、前記医療機器の使用の可否である
ことを特徴とする請求項１に記載の医療機器取扱教育システム。
【請求項３】
前記パスワードが制御する前記医療機器の使用環境は、前記医療機器の使用機能の限定解除の有無である
ことを特徴とする請求項１に記載の医療機器取扱教育システム。
【請求項４】
前記パスワードが制御する前記医療機器の使用環境は、前記医療機器に関する情報提供の有無である
ことを特徴とする請求項１に記載の医療機器取扱教育システム。
【発明の詳細な説明】
【０００１】
【発明の属する技術分野】
本発明は、医療機器の取扱の教育の受講を促す医療機器取扱教育システムに関する。
【０００２】
【従来の技術】
病院等の医療機関においては、種々の医療機器を購入し、患者の検査、処置、手術等が行われている。
【０００３】
これら医療機器としては、例えば患者を検査する電子内視鏡装置、超音波診断装置、患者を処置・治療する電気メス装置、超音波処置装置、気腹装置等がある。
【０００４】
これら装置も複数の機器から構成され、例えば電子内視鏡装置は、電子内視鏡、光源装置及びビデオプロセッサ等の複数の電子機器から構成される。
【０００５】
また、内視鏡下で手術を実施する、内視鏡手術システムでは、例えば特開平９−３１９４０９号公報に示されるように、集中制御装置により複数の医療機器（内視鏡装置、電気メス装置、超音波処置装置、気腹装置等）が管理され、これらの医療機器を適正に設定・操作することで手術がなされる。
【０００６】
【特許文献１】
特開平９−３１９４０９号公報
【０００７】
【発明が解決しようとする課題】
しかしながら、医療機器の病院等の医療機関への販売にあたり、その使用方法をユーザ（Ｄｒ．、ナース等）に理解してもらう必要があるが、現状、医療機器販売のセールスマンが装置持込の際に使用方法を説明し、後はユーザが取説を読むことに期待している。
【０００８】
一方、ユーザ側では病院のＭＥ（メディカル・エンジニア）が関係者含め教育を行っているが、医療機器の使用法の教育は慎重に行う必要があり、また、医療機器の近年の進歩により操作が多岐にわたり、より効果的な教育が望まれている。
【０００９】
本発明は、上記事情に鑑みてなされたものであり、ユーザに医療機器の取扱方法の教育を受ける動機付けを与え、該教育の受講率をアップさせることで、ユーザに医療機器を最適に使用させることのできる医療機器取扱教育システムを提供することを目的としている。
【００１０】
【課題を解決するための手段】
本発明の医療機器取扱教育システムは、購入した医療機器の取扱方法を教育する教育ソフトを起動する教育ソフト起動手段と、前記教育ソフト起動手段により起動した前記教育ソフトを教育内容の理解度をチェックする理解度チェック手段と、前記理解度チェック手段がチェックした理解度を判定する理解度判定手段と、前記理解度判定手段の判定結果に基づき前記医療機器の使用環境を制御するパスワードを発行するパスワード発行手段と、前記パスワードを前記医療機器に入力するパスワード入力手段とを備えて構成される。
【００１１】
【発明の実施の形態】
以下、図面を参照しながら本発明の実施の形態について述べる。
【００１２】
第１の実施の形態：
図１ないし図１２は本発明の第１の実施の形態に係わり、図１は内視鏡手術システムの構成を示す構成図、図２は図１の内視鏡手術システムを有する医療機関に対して構築される医療機器取扱教育システムの構成を示す構成図、図３は図２の医療機器取扱教育システムの作用を説明するフローチャート、図４は図３の処理でＰＣのモニタに表示される製品取扱教育ソフト起動画面を示す図、図５は図３の処理でＰＣのモニタに表示される製品取扱教育開始画面を示す図、図６は図３の処理でＰＣのモニタに表示される製品取扱教育展開画面を示す図、図７は図３の処理でＰＣのモニタに表示される理解度テスト開始画面を示す図、図８は図３の処理でＰＣのモニタに表示される機種情報入力画面を示す図、図９は図３の処理でＰＣのモニタに表示される合格表示画面を示す図、図１０は図３の処理でＰＣのモニタに表示されるパスワード発行画面を示す図、図１１は図３の処理でＰＣのモニタに表示される不合格表示画面を示す図、図１２は図２の医療機器取扱教育システムの作用の変形例を説明するフローチャートである。
【００１３】
（構成）
本実施の形態では、医療機器の使用を可能とするパスワードの発行を、医療機器の取扱方法をパーソナルコンピュータを用いて受講させた後に行うことで、ユーザに医療機器の取扱方法の教育を受ける動機付けを与えることを特徴とする。
【００１４】
本実施の形態の医療機器として、図１に示すような病院等の医療機関に販売・配置される内視鏡手術システム３を構成する各機器を例に説明する。
【００１５】
図１に示すように、手術室２内には、患者４８が横たわる患者ベッド１０と、内視鏡手術システム３とが配置される。この内視鏡手術システム３は、第１カート１１及び第２カート１２を有している。
【００１６】
第１カート１１には、医療機器として例えば電気メス１３、気腹装置１４、内視鏡用カメラ装置１５、光源装置１６及びＶＴＲ１７等の装置類と、二酸化炭素等を充填したガスボンベ１８が載置されている。内視鏡用カメラ装置１５はカメラケーブル３１ａを介して第１の内視鏡３１に接続される。光源装置１６はライトガイドケーブル３１ｂを介して第１の内視鏡３１に接続される。
【００１７】
また、第１カート１１には、表示装置１９、集中表示パネル２０、操作パネル２１等が載置されている。表示装置１９は、内視鏡画像等を表示する例えばＴＶモニタである。
【００１８】
集中表示パネル２０は、術中のあらゆるデータを選択的に表示させることが可能な表示手段となっている。操作パネル２１は、例えば７セグメント表示器とＬＥＤ等の表示部とこの表示部上に設けられたスイッチにより構成され、非滅菌域にいる看護婦等が操作する集中操作装置になっている。
【００１９】
さらに、第１カート１１には、システムコントローラ２２が載置されている。このシステムコントローラ２２には、上述の電気メス１３と気腹装置１４と内視鏡用カメラ装置１５と光原装置１６とＶＴＲ１７とが、図示しない通信線を介して例えばＲＳ−２３２Ｃ等のシリアル通信規格で接続されている。このシステムコントローラ２２には、通信コントローラ６３が内蔵されており、通信ケーブル６４を介して、図２に示す通信回路９に接続されている。また、システムコントローラ２２は通信ケーブル６５を介して院内ＬＡＮに接続されている。
【００２０】
一方、前記第２カート１２には、内視鏡用カメラ装置２３、光源装置２４、画像処理装置２５、表示装置２６及び第２集中表示パネル２７とが載置されている。
【００２１】
内視鏡用カメラ装置２３はカメラケーブル３２ａを介して第２の内視鏡３２に接続される。光源装置２４はライトガイドケーブル３２ｂを介して第２の内視鏡３２に接続される。
【００２２】
表示装置２６は、内視鏡用カメラ装置２３でとらえた内視鏡画像等を表示する。第２集中表示パネル２７は、術中のあらゆるデータを選択的に表示させることが可能になっている。
【００２３】
これら内視鏡用カメラ装置２３と光源装置２４と画像処理装置２５とは、第２カート１２に載置された中継ユニット２８に図示しない通信線を介して接続されている。そして、この中継ユニット２８は、中継ケーブル２９によって、上述の第１カート１１に搭載されているシステムコントローラ２２に接続されている。
【００２４】
したがって、システムコントローラ２２は、これらの第２カート１２に搭載されているカメラ装置２３、光源装置２４及び画像処理装置２５と、第１カート１１に搭載されている電気メス１３、気腹装置１４、カメラ装置１５、光源装置１６及びＶＴＲ１７とを集中制御するようになっている。このため、システムコントローラ２２とこれらの装置との間で通信が成立している場合、システムコントローラ２２は、上述の操作パネル２１の液晶ディスプレイ上に、接続されている装置の設定状態や操作スイッチ等の設定画面を表示させると共に、所望の操作スイッチに触れて所定領域のタッチセンサを操作することによって設定値の変更等の操作入力を行うことができる。
【００２５】
リモートコントローラ３０は、滅菌域にいる執刀医等が操作する第２集中操作装置であり、通信が成立している他の装置をシステムコントローラ２２を介して操作することができるようになっている。
【００２６】
図２に示すように、本実施の形態の病院等の医療機関１００は、内視鏡手術システム３等を構成する上記製品（医療機器）１０４の他に、例えばインターネット１０１に接続されたパーソナルコンピュータ（以下、ＰＣ）１０２を有しており、ＰＣ１０２は上記各製品（医療機器）１０４の使用を許可するパスワードをユーザの製品（医療機器）１０４の取扱方法のｅ教育の理解度結果に基づいて発行する例えば医療機器の製造・販売会社が運営するサービスセンター１０３と接続され、ＰＣ１０２及びサービスセンター１０３とより本実施の形態の医療機器取扱教育システムを構築している。
【００２７】
（作用）
次に本実施の形態の購入時の製品（医療機器）１０４の医療機器取扱教育システムの作用について説明する。
【００２８】
医療機器取扱教育システムでは、図３に示すように、ステップＳ１でＰＣ１０２の電源をオンし、ステップＳ２で製品購入時に貼付された製品取扱教育ソフトが格納されている情報記録媒体である例えばＣＤ（コンパクト・ディスク：図示せず）をＰＣ１０２に装填し、ステップＳ３で製品取扱教育ソフトを起動し、ＰＣ１０２のモニタ上に、図４に示すような製品取扱教育ソフト起動画面１１０を表示する。
【００２９】
なお、製品取扱教育ソフトが格納されている情報記録媒体はＣＤに限らず、ＤＶＤ等のリムーバブルな媒体であればよい。
【００３０】
そして、製品取扱教育ソフト起動画面１１０上の「次へ」ボタンをマウス等でクリックすることで、ステップＳ４でＰＣ１０２のモニタ上に、図５に示すような製品取扱教育開始画面１１１を表示し、ＰＣ１０２での製品（医療機器）１０４に関する電子的な製品取扱教育（以下、ｅ教育）を開始する。
【００３１】
製品取扱教育開始画面１１１の「次へ」ボタンをマウス等でクリックすると、図６に示すようなＱ＆Ａ方式のｅ教育展開画面１１２をＰＣ１０２のモニタ上に順次表示し、製品（医療機器）１０４の取扱に必要な教育が複数の課程毎になされ、ステップＳ５で全課程の教育の受講を待つ。
【００３２】
ユーザが全課程の教育を受講し終えると、ステップＳ６でＰＣ１０２のモニタ上に図７に示すような理解度テスト開始画面１１３を表示し、理解度テスト開始画面１１３の「次へ」ボタンをマウス等でクリックすることで、製品（医療機器）１０４の取扱に必要な情報を習得したかどうかの理解度テストを開始し、理解度テストが終了すると、ステップＳ７でテスト結果をＰＣ１０２内のハードディスク等に格納する。
【００３３】
このように理解度テストが終了し、テスト結果がＰＣ１０２に格納されると、ステップＳ８でＰＣ１０２がインターネット１０１を介してサービスセンター１０３にアクセスするのを待ち、アクセスがなされると、サービスセンター１０３はステップＳ９で図８に示すような機種情報入力画面１１４をＰＣ１０２のモニタ上に表示し、購入した製品（医療機器）１０４の機種名、機種識別ＩＤ（シリアルナンバ）等の機種情報の入力を待つ。
【００３４】
機種情報の入力がなされると、ステップＳ１０でサービスセンター１０３はＰＣ１０２に対して理解度テストのテスト結果を要求し、ＰＣ１０２は格納している理解度テストのテスト結果をインターネット１０１を介してサービスセンター１０３に送信する。
【００３５】
そして、ステップＳ１１でサービスセンター１０３はユーザが入力した機種情報を確認すると共に、テスト結果により合否を判定し、理解度テストに合格すると図９に示すような確認された機種情報及び結果内容からなる合格表示画面１１５をＰＣ１０２のモニタ上に表示する。
【００３６】
合格表示画面１１５の「次へ」ボタンをマウス等でクリックすることで、サービスセンター１０３はステップＳ１２で図１０に示すようなパスワード発行画面１１６をＰＣ１０２のモニタ上に表示し製品（医療機器）１０４の使用を可能にするパスワードを合格したユーザに発行する。
【００３７】
ステップＳ１１で理解度テストに不合格すると、図１１に示すような確認された機種情報及び結果内容からなる不合格表示画面１１５をＰＣ１０２のモニタ上に表示し、ユーザにｅ教育の再受講後に再度理解度テストを受けることを促し処理を終了する。
【００３８】
そして、製品（医療機器）１０４の使用を可能にするパスワードを発行されたユーザは、ステップＳ１３で購入した製品（医療機器）１０４にキーボード（図示せず）等を用いてパスワードを入力することで、ステップＳ１４において該製品（医療機器）１０４の使用を開始し処理を終了する。
【００３９】
（効果）
このように本実施の形態では、購入した製品（医療機器）１０４を使用可能にするパスワードの発行を、ｅ教育の受講及び理解度テストの合格を条件としているので、ユーザに対して、製品（医療機器）１０４を取り扱うのに必要な教育を確実に実施することができると共に、その理解度をチェックすることで的確にユーザの機器扱いレベルを所定レベルに到達させることができる。
【００４０】
なお、本実施の形態では、製品購入時に貼付されたＣＤに格納されている製品取扱教育ソフトを用いるとしたが、これに限らず、インターネット１０１を介してＰＣ１０２がサービスセンター１０３より製品取扱教育ソフトをダウンロードしてｅ教育を受講しても同様な作用・効果を得ることができ、その場合の処理の流れは図１２に示すようになる。
【００４１】
すなわち、図１２に示すように、ステップＳ１でＰＣの電源をオンし、ステップＳ２１でサービスセンター１０３にインターネット１０１を介してアクセスする。そして、ステップＳ２２でサービスセンター１０３より製品取扱教育ソフトをダウンロードして、上述したステップＳ４〜Ｓ７及びステップＳ９〜Ｓ１４を実施する。
【００４２】
また、本実施の形態では、ｅ教育の受講及び理解度テストの合格者に購入した製品である医療機器を使用可能にするパスワードの発行するとしたが、これに限らず、例えばｅ教育の未受講あるいは理解度テストの不合格者には、機能を限定した状態での医療機器を使用は認め、ｅ教育の受講及び理解度テストの合格者にはパスワード入力により限定を解除し全ての機能の使用を認めるようにしてもよく、パスワードで限定しない機能は例えば内視鏡画像の表示や送気／送水等の基本機能であって、パスワードで限定する機能は例えば画像輪郭協調や色調調整等の一部の画像処理機能、画像記録等の付加機能である。
【００４３】
本実施の形態において、医療機器の取扱の変更（医療機器のバージョンアップに伴う）や取扱上の注意点があらたに発生した場合には、再度上記ｅ教育及び理解度テストを実施することで、パスワードを更新させるようにしてもよく、これにより販売機器に合った（機器と一体の情報提供として）正しい取扱方の提供、取扱上の変更の、変更管理（機器の変更による取扱説明情報変更、取り扱い方が変更による取扱説明情報変更）が即時にでき、タイムラグによる誤使用が防止でき、さらにオンラインにて取扱方法を教育するので、従来のように取扱説明書等を紛失したり、汚れ、破損による見誤りを防止することが可能となる。
【００４４】
第２の実施の形態：
図１３ないし図１７は本発明の第２の実施の形態に係わり、図１３は医療機器取扱教育システムの構成を示す構成図、図１４は図１３の医療機器取扱教育システムの作用を説明するフローチャート、図１５は図１３の医療機器取扱教育システムの作用の第１の変形例を説明するフローチャート、図１６は図１５の処理で医療機器の表示部に表示されるパスワード入力画面を示す図、図１７は図１３の医療機器取扱教育システムの作用の第２の変形例を説明するフローチャートである。
【００４５】
第２の実施の形態は、第１の実施の形態とほとんど同じであるので、異なる点のみ説明し、同一の構成には同じ符号をつけ説明は省略する。
【００４６】
（構成）
第１の実施の形態では、病院等の医療機関１００に配置されたインターネット１０１に接続されたＰＣ１０２によりｅ教育及び理解度テストを実施するとしたが、本実施の形態では、例えば図１３に示すように、システムコントローラ２２（図１参照）を院内ＬＡＮを介してインターネット１０１に接続し、医療機器１０４の使用を可能とするパスワードの発行を、システムコントローラ２２に接続された各医療機器１０４毎にｅ教育及び理解度テストを実施した後に行うことで、ユーザに医療機器１０４の取扱方法の教育を受ける動機付けを与えることを特徴とする。
【００４７】
その他の構成は第１の実施の形態と同じであるが、システムコントローラ２２を有しない病院等の医療機関１００では、システムコントローラ２２を介さずに直接医療機器１０４をインターネット１０１に接続し、医療機器１０４上でｅ教育及び理解度テストを実施した後に医療機器１０４の使用を可能とするパスワードの発行を行う。なお、医療機器１０４には、図示はしないが、図４〜図１１に示した各画面を表示できる表示部が設けられている。
【００４８】
（作用）
次に本実施の形態の購入時の製品（医療機器）１０４の医療機器取扱教育システムの作用について説明する。
【００４９】
図１４に示すように、ステップＳ３１で購入した製品（医療機器）１０４の電源をオンする。そしてステップＳ２ａ〜Ｓ８ａの処理を実行し、ステップＳ３２で機種名及び機器識別ＩＤとテスト結果をサービスセンター１０３に送信し、ステップＳ１１ａ〜Ｓ１４ａの処理を実行する。ステップＳ２ａ〜Ｓ８ａ及びステップＳ１１ａ〜Ｓ１４ａは、第１の実施の形態で図３のステップＳ２〜Ｓ１８及びステップＳ１１〜Ｓ１４を説明した際のＰＣ１０２を製品（医療機器）１０４に置き換えたものであるため、説明は省略する。
【００５０】
（効果）
本実施の形態においても、第１の実施の形態と同様な作用効果を得ることができるばかりでなく、製品（医療機器）１０４上でｅ教育を受講できるため、製品（医療機器）１０４のボタン等の操作がより理解しやすい。
【００５１】
なお、第２の実施の形態では、製品購入時に貼付されたＣＤに格納されている製品取扱教育ソフトを用いるとしたが、これに限らず、第１の実施の形態と同様に、インターネット１０１を介して製品（医療機器）１０４がサービスセンター１０３より製品取扱教育ソフトをダウンロードしてｅ学習を実施しても同様な作用・効果を得ることができ、その場合の処理の流れは図１５に示すようになる。
【００５２】
すなわち、図１５に示すように、ステップＳ３１で製品（医療機器）１０４の電源をオンし、ステップＳ３３でサービスセンター１０３にインターネット１０１を介してアクセスする。
【００５３】
そして、ステップＳ３４で製品（医療機器）１０４が自らの機種名、機種識別ＩＤ（シリアルナンバ）等の機種情報をサービスセンター１０３に送信し、ステップＳ３５で図１６に示すようなパスワード入力画面１１９を製品（医療機器）１０４の表示部に表示しパスワードの入力を待ち、正しいパスワードが入力されるとステップＳ１４ａに進み、パスワード入力画面１１２上の「今すぐ受講」ボタンが選択されるとステップＳ３６でサービスセンター１０３より製品取扱教育ソフトをダウンロードして、上述した図１３のステップＳ４ａ〜Ｓ７ａを実行し、ステップＳ３６でテスト結果をサービスセンター１０３に送信し、図１３のステップＳ１１ａ〜Ｓ１４ａを実行する。
【００５４】
この場合、製品（医療機器）１０４が自らの機種名、機種識別ＩＤ（シリアルナンバ）等の機種情報をサービスセンター１０３に送信するので、ステップＳ９ａでの処理が省略される。
【００５５】
また、第２の実施の形態では、ｅ教育の受講及び理解度テストの合格者に購入した製品（医療機器）１０４を使用可能にするパスワードの発行するとしたが、これに限らず、第１の実施の形態と同様に、例えばｅ教育の未受講あるいは理解度テストの不合格者には、機能を限定した状態での製品（医療機器）１０４を使用は認め、ｅ教育の受講及び理解度テストの合格者にはパスワード入力により限定を解除し全ての機能の使用を認めるようにしてもよい。
【００５６】
さらに、第２の実施の形態では、理解度テストの結果により製品（医療機器）１０４の使用可／不可あるいは製品（医療機器）１０４の使用の限定／限定解除するとしたが、これに限らず、パスワードの有無によらず、限定すること無く製品（医療機器）１０４を使用を許可するが、ｅ教育の受講及び理解度テストの合格者には図１７に示すように、ステップＳ１３ａでパスワードを機器に入力すると、ステップＳ３８で機種名、機種識別ＩＤ（シリアルナンバ）に基づき最新の機器に関する情報や関連する医療情報をサービスセンター１０３より提供し製品（医療機器）１０４の表示部上に表示させた後に、ステップＳ１４ａで製品（医療機器）１０４を使用させることで、ユーザに医療機器の取扱方法の教育を受ける動機付けを与えるようにしてもよい。なおこの場合も、理解度テストの結果によって製品（医療機器）１０４の使用可／不可あるいは製品（医療機器）１０４の使用の限定／限定解除を行うようにしてもよい。
【００５７】
なお、上記各実施の形態及び各変形例では、パスワードを発行し、キーボード等で製品（医療機器）１０４にパスワードを入力するとしたが、これに限らず、ＰＣ１０２及び製品（医療機器）１０４に同じ可搬な媒体、例えばフロッピーディスク（登録商標）、メモリスティック、ＰＣカード等を装着できるスロットを設け、合格したユーザにＰＣ１０２あるいは製品（医療機器）１０４を介してパスワードを格納した媒体を与え、パスワードを格納した媒体を製品（医療機器）１０４に装填することでパスワードを認識させるようにしてもよく、キーボードが製品（医療機器）１０４になくても該媒体をキー（鍵）として装填すれば製品（医療機器）１０４の使用を制限することができ、またパスワードを忘れたとしても合格したユーザに製品（医療機器）１０４の使用を許可することができる。
【００５８】
また、ＭＥ（メディカル・エンジニア）などが代表して上記各実施の形態及び各変形例の如くｅ教育を受講し、その後そのＭＥが看護士や医者に教育をする病院などでは、
（１）サービスセンター１０３が電子記録媒体（ＣＤ）を使ってＭＥにｅ教育ソフトを提供し、ＭＥがこれを使って看護士や医者に製品（医療機器）１０４の取扱方法を教育し、合格した者にサービスセンター１０３がパスワードを発行する、
あるいは、
（２）ＭＥがインターネット１０１を介してサービスセンター１０３のサイトからｅ教育ソフトを入手し、ＭＥがこれを使って看護士や医者に製品（医療機器）１０４の取扱方法を教育した者にサービスセンター１０３がパスワードを発行する、
といった方法により、看護士や医者等のユーザに対して製品（医療機器）１０４を使用することの許可あるいは限定解除あるいは情報提供を行い、製品（医療機器）１０４を取り扱うのに必要な教育を確実に実施すると共に、その理解度をチェックすることで的確にユーザの機器扱いレベルを所定レベルに到達させるようにしてもよい。
【００５９】
また、ＭＥを医療機関１００の代表者とし、サービスセンター１０３はその代表者に親パスワード（例：１２３４）と代表権限を提供し、ＭＥは上記（１）あるいは（２）のような方法で看護士や医者に製品取扱方法のｅ教育を受けさせ、合格者には代表権限をもったＭＥから子パスワード（例：１２３４Ａ，１２３４Ｂ，…）を発行し、この子パスワードで看護士や医者等のユーザに対して製品（医療機器）１０４を使用することの許可あるいは限定解除あるいは情報提供を行うようにしてもよい。
【００６０】
また、サービスセンター１０３と医療機関１００とがインターネット１０１を介して接続され医療機器取扱教育システムを構築するとしたが、インターネット１０１に限らず、複数の医療機関１００のみが接続される専用通信ネットにサービスセンター１０３を接続することで本発明の医療機器取扱教育システムを構築してもよい。
【００６１】
本発明は、上述した実施の形態に限定されるものではなく、本発明の要旨を変えない範囲において、種々の変更、改変等が可能である。
【００６２】
【発明の効果】
以上説明したように本発明によれば、ユーザに医療機器の取扱方法の教育を受ける動機付けを与え、該教育の受講率をアップさせることで、ユーザに医療機器を最適に使用させることができるという効果がある。
【図面の簡単な説明】
【図１】本発明の第１の実施の形態に係る内視鏡手術システムの構成を示す構成図
【図２】図１の内視鏡手術システムを有する医療機関に対して構築される医療機器取扱教育システムの構成を示す構成図
【図３】図２の医療機器取扱教育システムの作用を説明するフローチャート
【図４】図３の処理でＰＣのモニタに表示される製品取扱教育ソフト起動画面を示す図
【図５】図３の処理でＰＣのモニタに表示される製品取扱教育開始画面を示す図
【図６】図３の処理でＰＣのモニタに表示される製品取扱教育展開画面を示す図
【図７】図３の処理でＰＣのモニタに表示される理解度テスト開始画面を示す図
【図８】図３の処理でＰＣのモニタに表示される機種情報入力画面を示す図
【図９】図３の処理でＰＣのモニタに表示される合格表示画面を示す図
【図１０】図３の処理でＰＣのモニタに表示されるパスワード発行画面を示す図
【図１１】図３の処理でＰＣのモニタに表示される不合格表示画面を示す図
【図１２】図２の医療機器取扱教育システムの作用の変形例を説明するフローチャート
【図１３】本発明の第２の実施の形態に係る医療機器取扱教育システムの構成を示す構成図
【図１４】図１３の医療機器取扱教育システムの作用を説明するフローチャート
【図１５】図１３の医療機器取扱教育システムの作用の第１の変形例を説明するフローチャート
【図１６】図１５の処理で医療機器の表示部に表示されるパスワード入力画面を示す図
【図１７】図１３の医療機器取扱教育システムの作用の第２の変形例を説明するフローチャート
【符号の説明】
２２…システムコントローラ
１００…医療機関
１０１…インターネット
１０２…パーソナルコンピュータ（ＰＣ）
１０３…サービスセンター
１０４…製品（医療機器）
【図１】
2004157177.tif 000003
【図２】
2004157177.tif 000004
【図３】
2004157177.tif 000005
【図４】
2004157177.tif 000006
【図５】
2004157177.tif 000007
【図６】
2004157177.tif 000008
【図７】
2004157177.tif 000009
【図８】
2004157177.tif 000010
【図９】
2004157177.tif 000011
【図１０】
2004157177.tif 000012
【図１１】
2004157177.tif 000013
【図１２】
2004157177.tif 000014
【図１３】
2004157177.tif 000015
【図１４】
2004157177.tif 000016
【図１５】
2004157177.tif 000017
【図１６】
2004157177.tif 000018
【図１７】
2004157177.tif 000019